(57)【要約】【課題】切削部の破片を容易に除去することができる歯科用器具を提供する。【解決手段】本実施の形態に係る歯科用器具（１）は、歯（５）の根管（５１）に挿入され、該根管（５１）の内部を切削するための細長状の切削部（２）と、該切削部（２）の一端側に設けられており、前記切削部（２）を支持する支持部（３）とを備える歯科用器具（１）において、前記切削部（２）は、互いに撚り合わされた複数本のグラスファイバーを備えることを特徴とする。【選択図】図３
2020108595.tif 000002
【特許請求の範囲】
【請求項１】
歯の根管に挿入され、該根管の内部を切削するための細長状の切削部と、
該切削部の一端側に設けられており、前記切削部を支持する支持部と
を備える歯科用器具において、
前記切削部は、互いに撚り合わされた複数本のグラスファイバーを備えることを特徴とする歯科用器具。
【請求項２】
前記切削部には、前記複数本のグラスファイバーを縄状に撚り合わせたことによる螺旋状の溝が形成されていることを特徴とする請求項１に記載の歯科用器具。
【請求項３】
前記切削部の前記支持部の側を着脱可能に覆う筒状のカバーを更に備えることを特徴とする請求項１又は２に記載の歯科用器具。
【発明の詳細な説明】
【技術分野】
【０００１】
本発明は歯科用器具に関する。
【背景技術】
【０００２】
ファイル（やすり）又はリーマと呼ばれる歯科用器具は、根管治療が行なわれる場合に用いられる。この歯科用器具は、細長い切削部と、切削部を支持する支持部とを備える。切削部の周面には、螺旋状の溝が形成されている。支持部は、切削部の基端側に設けられている。
根管治療においては、歯の根管が清掃され且つ整形される。ここで、根管の清掃とは、根管を通っている歯髄及び歯髄の周辺の象牙質等の除去対象物を除去することである。根管の整形とは、充填材を充填し易くするために根管を拡張することである。
【０００３】
治療者は、歯科用器具の支持部を摘持して切削部を先端側から根管に挿入する。治療者が根管の内部で切削部を回転させ、又は切削部を根管に挿脱することによって、切削部は、根管の内部を切削し、除去対象物を掻き取る。この結果、根管が清掃され、且つ整形される。
又は、治療者は、歯科用器具をハンドピースに装着する。ハンドピースは、歯科用器具の支持部を保持するヘッドと、治療者に把持される把持部とを有し、歯科用器具の切削部にマイクロモータ（いわゆる歯科用エンジン）又はエアタービンの回転運動を伝達する装置である。ハンドピースを把持した治療者が、回転する切削部を根管に挿入し、除去対象物を掻き取る。
【０００４】
以上のような歯科用器具は、例えば特許文献１に開示されている。
根管の清掃及び整形後、根管の消毒及び根管への充填材の充填等の後処理が施される。
【先行技術文献】
【特許文献】
【０００５】
【特許文献１】特開２０１０−１２２５２号公報
【発明の概要】
【発明が解決しようとする課題】
【０００６】
近年、形状記憶合金（ニッケル・チタン）製の切削部を備える歯科用器具が多く用いられている。形状記憶合金製の切削部は撓み易いので、根管が湾曲していたとしても、根管の形状に追従し易い。
しかしながら、形状記憶合金製の切削部には折れ易いという欠点がある。形状記憶合金製の切削部は鋭利なので、折れた切削部の破片が根管の側壁に噛み込むことがある。また、形状記憶合金製の切削部の破片は細片状をなすことがある。破片が根管の側壁に噛み込んでいる場合も、微細な破片の場合も、ほとんどの場合、破片の除去は不可能である。仮に除去できたとしても、破片の除去に長時間を要するので、患者にも治療者にも負担が大きい。
【０００７】
本発明は斯かる事情に鑑みてなされたものであり、その主たる目的は、切削部の破片を容易に除去することができる歯科用器具を提供することにある。
【課題を解決するための手段】
【０００８】
本実施の形態に係る歯科用器具は、歯の根管に挿入され、該根管の内部を切削するための細長状の切削部と、該切削部の一端側に設けられており、前記切削部を支持する支持部とを備える歯科用器具において、前記切削部は、互いに撚り合わされた複数本のグラスファイバーを備えることを特徴とする。
【０００９】
本実施の形態にあっては、切削部が、互いに撚り合わされたグラスファイバーを備える。故に、切削部は撓み易い。
治療者は、支持部を摘持して切削部を根管に挿入する。又は、治療者は、ハンドピースに支持部を保持させ、ハンドピースを把持して切削部を根管に挿入する。切削部は根管の内部を切削し、除去対象物を掻き取る。
【００１０】
切削部の表面にあるグラスファイバーは、根管の内部を切削する刃として機能する。
グラスファイバーが折れたとしても、折れたグラスファイバーの破片は長繊維状になり易く、細片状になり難い。
また、グラスファイバーは根管の側壁に噛み込み難いので、折れたグラスファイバーの破片が根管の側壁に噛み込むことを抑制することができる。
以上の結果、切削部の破片を容易に除去することができる。
【００１１】
本実施の形態に係る歯科用器具は、前記切削部には、前記複数本のグラスファイバーを縄状に撚り合わせたことによる螺旋状の溝が形成されていることを特徴とする。
【００１２】
本実施の形態にあっては、複数本のグラスファイバーを縄状に撚り合わせることによって、切削部に螺旋状の溝が自然に形成される。
切削部によって掻き取られた除去対象物の少なくとも一部は、切削部の溝に入り込む。故に、切削部を根管から引き抜くことによって、除去対象物を根管から容易に除去することができる。
【００１３】
本実施の形態に係る歯科用器具は、前記切削部の前記支持部の側を着脱可能に覆う筒状のカバーを更に備えることを特徴とする。
【００１４】
本実施の形態にあっては、カバーが切削部の支持部側を覆う。治療者は、カバーを摘持して、切削部のカバーに覆われていない部分を根管に挿入することができる。
【発明の効果】
【００１５】
本実施の形態の歯科用器具によれば、切削部の破片を容易に除去することができる。
【図面の簡単な説明】
【００１６】
【図１】実施の形態１に係る歯科用器具の正面図である。
【図２】切削部の構造を説明するための模式図である。
【図３】歯科用器具の使用形態を示す模式図である。
【図４】実施の形態２に係る歯科用器具の正面図である。
【図５】カバーの分解断面図である。
【図６】図４におけるＶＩ−ＶＩ線によるカバーの断面図である。
【図７】図５におけるＶＩＩ−ＶＩＩ線によるチャック部材の断面図である。
【発明を実施するための形態】
【００１７】
以下、本発明を、その実施の形態を示す図面に基づいて詳述する。
【００１８】
実施の形態  １．
図１は、実施の形態１に係る歯科用器具の正面図である。
図中１は歯科用器具であり、歯科用器具１は切削部２及び支持部３を備える。
【００１９】
図２は、切削部２の構造を説明するための模式図である。
切削部２は、縄状に互いに撚り合わされた複数本のグラスファイバー２１，２１，…を備える。グラスファイバー２１，２１，…夫々の太さは均一であるが、長さは不均一である。
グラスファイバー２１，２１，…夫々の一端が揃った状態でグラスファイバー２１，２１，…が一方向に互いに撚り合わされることによって、ヤーン２２が形成されている。ヤーン２２は細い紐である。ヤーン２２の一端側は太く、他端側は細い。
【００２０】
複数本（図中３本）ヤーン２２，２２，２２夫々の細い方の端が揃った状態でヤーン２２，２２，２２が他方向に互いに撚り合わされることによって、ストランド２３が形成されている。ストランド２３は太い紐である。ストランド２３の一端側は太く、他端側は細い。
複数本（図中３本）のストランド２３，２３，２３夫々の細い方の端が揃った状態でストランド２３，２３，２３が一方向に互いに撚り合わされることによって、切削部２が形成されている。切削部２は、細長い円錐状をなす（図１参照）。
図２に示す切削部２及びストランド２３夫々はＺ撚りであり、ヤーン２２はＳ撚りである。
【００２１】
図１及び図２に示すように、切削部２の周面には、複数本の溝２４，２４，…が設けられている。各溝２４は、切削部２の全長に亘る螺旋状をなす。溝２４は、隣り合うストランド２３，２３の境界部分であり、グラスファイバー２１，２１，…を縄状に撚り合わせることによって自然に形成されたものである。故に、グラスファイバー２１，２１，…を撚り合わせたものに、例えばタップを用いて溝２４，２４，…を切り込む必要はない。
【００２２】
切削部２は、例えばストランド２３，２３，２３が撚り合わされた後で合成樹脂に含浸されることによって、保形される。
なお、グラスファイバー２１，２１，…を撚り合わせる手順及び切削部２を保形する手段は、上述した手順及び手段に限定されない。
【００２３】
図１に示す支持部３は、ストレート部３１及び軸部３２を備える。
ストレート部３１は円柱状をなす。ストレート部３１は、切削部２の基端側（太い側）に同軸に設けられている。切削部２は、ストレート部３１の一端部が切削部２の基端側の端面に設けられた凹部に嵌め込まれることによって、ストレート部３１に固定されている。なお、切削部２をストレート部３１の一端部に締め付ける締め付けバンドが切削部２に巻かれていてもよい。また、切削部２はストレート部３１に対して着脱可能に取り付けられていてもよい。更に、切削部２のストレート部３１に対する固定は嵌め込みに限定されない。
軸部３２は円柱状をなす。軸部３２はストレート部３１の他端部に同軸に設けられている。ストレート部３１及び軸部３２は、例えば金属を用いて一体に成形されている。なお、ストレート部３１は、ストレート部３１の他端部が軸部３２の一端面に設けられた凹部に嵌め込まれることによって、軸部３２に固定されてもよい。
以上のような支持部３は切削部２を支持する。
【００２４】
図３は、歯科用器具１の使用形態を示す模式図である。
本実施の形態における歯科用器具１は、ハンドピース４に着脱可能に装着される。
ハンドピース４は、ネック４１及びヘッド４２を備える公知の構成を有している。ネック４１は、治療者に把持される不図示の把持部から延びる。ネック４１の先端にヘッド４２が設けられている。ヘッド４２は、歯科用器具１の切削部２がヘッド４２から突出するようにして、歯科用器具１の支持部３の軸部３２を保持する。軸部３２の上端部には、ヘッド４２に係合するための切り欠き３３及び係合溝３４が設けられている（図１参照）。歯科用器具１は、例えばハンドピース４に内蔵されている不図示のマイクロモータによって、歯科用器具１の軸心を中心に回転駆動される。
【００２５】
図に示す患者の歯５は２つの根管５１，５１を有する。各根管５１には歯髄５２が通っている。根管５１は湾曲している。
治療者はハンドピース４を把持し、切削部２を回転駆動させると共に、切削部２を先端側から根管５１に挿入する。切削部２は、互いに撚り合わされたグラスファイバー２１，２１，…なので、撓み易い。従って、根管５１が湾曲していても、切削部２は根管５１の形状に追従して容易に変形する。
【００２６】
回転する切削部２は、根管５１の内部を切削し、歯髄５２及び歯髄５２の周辺の象牙質等の除去対象物を掻き取る。切削部２が回転することによって、切削部２の表面にあるグラスファイバー２１，２１，…夫々が根管５１の内部を切削する刃として機能する。
また、回転する切削部２は、根管５１を整形する。
【００２７】
切削部２によって掻き取られた除去対象物の一部は、切削部２の溝２４，２４，…（図１参照）に入り込む。故に、切削部２を根管５１から引き抜くことによって、除去対象物を根管５１から容易に除去することができる。溝２４，２４，…に入り込んだ除去対象物は、切削部２の清拭又は洗浄等によって容易に除去される。
【００２８】
根管５１，５１の清掃及び整形後、根管５１，５１の消毒及び根管５１，５１への充填材の充填等の後処理が施される。根管５１は整形されているので、根管５１への充填材の充填は容易である。
【００２９】
例えば根管５１の切削中に、切削部２に大きな外力が加わった場合、切削部２を構成しているグラスファイバー２１，２１，…の内の一部が折れる虞がある。しかしながら、グラスファイバー２１，２１，…が全て同時的に折れる可能性は小さい。
【００３０】
折れたグラスファイバー２１の破片は、グラスファイバー２１，２１，…の内の残部（即ち折れていないグラスファイバー２１，２１，…）に撚り合わされている。切削部２が根管５１に挿入されている場合にグラスファイバー２１が折れた場合、折れていないグラスファイバー２１，２１，…を根管５１から引き抜けば、折れたグラスファイバー２１の破片を根管５１から除去することができる。折れていないグラスファイバー２１，２１，…は支持部３に支持されているので、ハンドピース４を歯５から離脱させれば、折れていないグラスファイバー２１，２１，…を根管５１から容易に引き抜くことができる。つまり、切削部２の破片が根管５１に残留することを抑制することができる。
【００３１】
ところで、切削部２のストランド２３，２３，２３（図２参照）は、ハンドピース４による切削部２の回転方向と同じ方向に撚り合わされていることが望ましい。ストランド２３，２３，２３が撚り合わされていると切削部２の回転方向とが互いに同じである場合、回転する切削部２が除去対象物に摩擦することによってストランド２３，２３，２３の撚りが緩む不都合が防止される。
【００３２】
なお、グラスファイバー２１の断面は、円形断面でも異形断面でもよい。
切削部２は、グラスファイバー２１，２１，…を一方向に撚り合わせたものでもよい。
切削部２を構成するグラスファイバー２１，２１，…の一部または全部がカーボンファイバーに置き換えられてもよい。
支持部３がストレート部３１を備えておらず、切削部２が軸部３２に固定されていてもよい。この場合、例えば、切削部２の基端部が軸部３２の一端面に設けられた凹部に嵌め込まれる。
歯科用器具１は、ハンドピース４に装着されて使用される構成に限定されず、手持ちで使用される構成でもよい。手持ちで使用される場合、支持部３の軸部３２は、治療者による摘持に適した形状（例えば鼓状）を有していることが望ましい。
【００３３】
実施の形態  ２．
本実施の形態の歯科用器具１は、実施の形態１の歯科用器具１と略同様である。本実施の形態の歯科用器具１は、実施の形態１の歯科用器具１と略同様の作用効果を奏する。以下では、実施の形態１との差異について説明し、その他、実施の形態１と同一の構成要素には同一の符号を付してそれらの説明を省略する。
【００３４】
図４は、実施の形態２に係る歯科用器具１の正面図である。
切削部２の支持部３側（基端側）の半分は、筒状のカバー６によって覆われている。切削部２の先端側の半分は、カバー６から露出している。
カバー６は、チャック部材７及びスリーブ８を備える。
【００３５】
図５は、カバー６の分解断面図である。
図６は、図４におけるＶＩ−ＶＩ線によるカバー６の断面図である。
図７は、図５におけるＶＩＩ−ＶＩＩ線によるチャック部材７の断面図である。
図５〜図７に示すように、チャック部材７は、基部７１、ネジ部７２、及び複数（図中３つ）のチャック爪７３，７３，７３を備える。
【００３６】
図５に示すように、基部７１は円錐筒状をなす。チャック部材７は、基部７１の頂が支持部３側（図５に向かって上側）に向くようにして用いられる。基部７１の内径は、歯科用器具１の切削部２の最大外径と同程度である。
以下では、支持部３側を上側といい、切削部２側を下側という。図６及び図７における上側／下側は、紙面に向かって奥側／手前側である。
【００３７】
図５に示すように、ネジ部７２は円筒状をなし、基部７１の底に同軸に設けられている。ネジ部７２の内径は、基部７１の内径と同程度である。ネジ部７２の外径は、基部７１の最大外径より小さい。ネジ部７２の周面には雄ネジが設けられている。
図５及び図７に示すように、チャック爪７３，７３，７３は、ネジ部７２の下端面から下向きに延設された円筒を周方向に３等分したような形状を有する。隣り合うチャック爪７３，７３の間には空隙が設けられている。チャック爪７３，７３，７３夫々は、チャック部材７の軸心に接離する方向の可撓性を有する。
【００３８】
図５に示すように、スリーブ８の軸長方向の一端部には、ネジ部７２の雄ネジに螺合可能な雌ネジ８１が設けられている。
スリーブ８の内径は、雌ネジ８１が設けられている部分を除いて、ネジ部７２の外径よりも小さい。
【００３９】
カバー６は、チャック部材７及びスリーブ８に切削部２が挿通され、スリーブ８の雌ネジ８１にチャック部材７の雄ネジが螺合することによって形成される。
治療者は、まず、チャック部材７の基部７１の頂が支持部３の下端に接触し、切削部２がチャック部材７に挿通されるようにして、チャック部材７を切削部２に被せる（図５参照）。図７に示すように、チャック部材７が切削部２に被せられただけの状態においては、チャック爪７３，７３，７３は切削部２から離隔している。
【００４０】
次に、治療者は、スリーブ８の雌ネジ８１が設けられている側の端部が支持部３に向き、切削部２がスリーブ８に挿通されるようにして、スリーブ８を切削部２に被せる（図５参照）。更に、治療者は、スリーブ８を軸心周りに回転させ、スリーブ８の雌ネジ８１とチャック部材７の雄ネジとを互いに螺合させる。スリーブ８の螺進に伴い、スリーブ８の内周面に押圧されてチャック爪７３，７３，７３夫々が撓み、チャック爪７３，７３，７３の間に挿通されている切削部２がチャック爪７３，７３，７３に掴持される（図６参照）。以上の結果、スリーブ８がチャック部材７に固定されると共に、チャック部材７が切削部２に固定される（図４参照）。
【００４１】
治療者は、カバー６を摘持して切削部２を先端側から根管に挿入する。治療者が根管の内部で切削部２を回転させ、又は切削部２を根管に挿脱することによって、切削部２は、根管の内部を切削し、除去対象物を掻き取る。この結果、根管が清掃され、且つ整形される。
治療者がチャック部材７とスリーブ８との螺合を解除し、切削部２からチャック部材７及びスリーブ８を取り外せば、カバー６を切削部２から取り外すことができる。
【００４２】
以上のような歯科用器具１によれば、歯科用器具１を手持ちで使用することも、ハンドピース４（図３参照）に装着して使用することもできる。
なお、歯科用器具１の支持部３は、治療者による摘持に適した形状を有していてもよい。この場合、治療者は、支持部３を摘持することによって、歯科用器具１を長く持つことができる。一方、治療者は、カバー６を摘持することによって、歯科用器具１を短く持つことができる。
【００４３】
カバー６の構成は上述の構成に限定されない。例えば、カバー６は、切削部２の支持部３側の一部と支持部３の一部又は全部とを覆う構成でもよい。また、カバー６は、カバー６及び支持部３夫々に設けられた凹凸同士が係合する構成でもよい。
【００４４】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００４５】
１      歯科用器具
２      切削部
２１    グラスファイバー
２４    溝
３      支持部
５      歯
５１    根管
６      カバー
【図１】
2020108595.tif 000003
【図２】
2020108595.tif 000004
【図３】
2020108595.tif 000005
【図４】
2020108595.tif 000006
【図５】
2020108595.tif 000007
【図６】
2020108595.tif 000008
【図７】
2020108595.tif 000009